(57)【要約】      （修正有）【課題】被施術者の手の平側を基台に固定すると共に指の間を一定間隔で広げた状態でマニキュア等の施術を行うようにしたので、前記施術時に隣接する指が邪魔になることがなく、また、マニキュア乾燥中に他の指が触れることによる修復を行うこともなく、従って、施術時間の短縮と施術を正確に行うことができるネイル施術用補助具を提供する。【解決手段】被施術者の手の平側を仮固定する基台１と、該基台に手の平側を固定した状態において親指から小指の５本の指の間を一定の間隔で維持する指間隔維持部材１ｄとで構成したネイル施術用補助具である。【選択図】図１
2014147442.tif 000002
【特許請求の範囲】
【請求項１】
被施術者の手の平側を仮固定する基台と、
該基台に手の平側を固定した状態において親指から小指の５本の指の間を一定の間隔で維持する指間隔維持部材とで、
構成したことを特徴とするネイル施術用補助具。
【請求項２】
前記基台は被施術者の手の平から手首を載置する手の平固定部と、該手の平固定部から先端方向に延長され親指、人差し指、中指、薬指、小指を載置する指載置部とより構成し、前記手の平固定部に被施術者の手の平を固定するための第１のバンドと、前記指載置部に被施術者の各指を固定する第２のバンドとより構成したことを特徴とする請求項１記載のネイル施術用補助具。
【請求項３】
前記基台は被施術者の手の平を載置する手の平固定部と、該手の平固定部から先端方向に延長され被施術者の人差し指、中指、薬指、小指を載置する指載置部と、該指載置部に固定された前記各指の間隔を維持するための指間隔維持部とより構成し、前記手の平固定部に被施術者の手の平を固定するための第１のバンドと、人差し指から小指の付け根部分を前記基台に固定するための第２のバンドとより構成し、被施術者の親指を前記第２のバンドの上面側に載置すると共に前記第１のバンドで親指を覆って該親指を固定したことを特徴とする請求項１記載のネイル施術用補助具。
【請求項４】
前記基台に被施術者の手首を載置する手首固定部を前記手の平固定部より延長し、該手首固定部に被施術者の手首を第３のバンドで固定したことを特徴とする請求項３記載のネイル施術用補助具。
【請求項５】
前記基台を不織布、ゴム板で形成し、前記第１〜第３のバンドを基台より延長して構成したことを特徴とする請求項３または請求項４記載のネイル施術用補助具。
【請求項６】
前記基台は被施術者の手の平から指先までを載置する大きさに形成され、前記手の平を載置する部分に結合部材が取付けられており、被施術者の手首から指先の爪部を露出する手袋の手の平側に前記基台の前記接合部材と結合可能な結合部材を取付け、また、前記手袋の各指の付け根部分に被施術者の各指の間隔を維持するための指間隔維持部材を取付けたことを特徴とする請求項１記載のネイル施術用補助具。
【発明の詳細な説明】
【技術分野】
【０００１】
本発明は、爪にマニキュアやネイルケア等を施す時に被施術者に負担を掛けることがなく、また、施術者も被施術者の指を補助具によって仮固定することで施術を行い易いネイル施術用補助具に関する。
【背景技術】
【０００２】
従来における爪にマニキュアを施したりネイルケアを行う時に使用する補助具として、例えば、特開２００１−２２４４２５号公報（特許文献１）や、特開２００８−９３３７１号公報（特許文献２）に開示されたものがある。
【０００３】
前記特許文献１は、手の平を載せるマニキュア台の手首側から指先側に向かって徐々に高くしたマニキュア台で形成され、被施術者は手の平を載せることで指先が持ち上がった状態となることから、マニキュアやネイルケアを行う施術者が作業し易くなり、かつ、被施術者にとっては手や腕にかかる負担を軽減できるものである。
【０００４】
また、前記特許文献２は、手の平を載置する載置面と、該載置面の先端側に人差し指、中指、薬指、小指の間隔を広げるための隆起部と、該隆起部で指の間隔が広げられた各指がグリップできるように形成された窪みが形成されている指先側端部とで形成された載置台であって、手の平を載置面に載せ、指先を指先側端部で各指の間を広げて状態で載置台を握って施術するものである。そして、台は左右方向にシーソー運動することで施術が行い易くなるものである。
【先行技術文献】
【特許文献】
【０００５】
【特許文献１】特開２００１−２２４４２５号公報
【特許文献２】特開２００８−９３３７１号公報
【発明の概要】
【発明が解決しようとする課題】
【０００６】
ところで、前記した先行技術におけるマニキュア台や載置台にあっては、何れも手の平を載せるものであるため、施術中において手の平が長時間の施術において動く可能性があり、従って、手の平が動くと指先が動いてマニキュアの施術において塗布した爪の乾燥中に隣あった指先が不用意に接触して修復しなければならないといった問題が発生した。
【０００７】
本発明は前記した問題点を解決せんとするもので、その目的とするところは、被施術者の手の平側を基台に固定すると共に指の間を一定間隔で広げた状態でマニキュア等の施術を行うようにしたので、前記施術時に隣接する指が邪魔になることがなく、また、マニキュア乾燥中に他の指が触れることによる修復を行うこともなく、従って、施術時間の短縮と施術を正確に行うことができるネイル施術用補助具を提供せんとするにある。
【課題を解決するための手段】
【０００８】
本発明のネイル施術用補助具は前記した目的を達成せんとするもので、請求項１の手段は、被施術者の手の平側を仮固定する基台と、該基台に手の平側を固定した状態において親指から小指の５本の指の間を一定の間隔で維持する指間隔維持部材とで構成したことを特徴とする。
【０００９】
請求項２の手段は、前記した請求項１において、前記基台は被施術者の手の平から手首を載置する手の平固定部と、該手の平固定部から先端方向に延長され親指、人差し指、中指、薬指、小指を載置する指載置部とより構成し、前記手の平固定部に被施術者の手の平を固定するための第１のバンドと、前記指載置部に被施術者の各指を固定する第２のバンドとより構成したことを特徴とする。
【００１０】
請求項３の手段は、前記した請求項１において、前記基台は被施術者の手の平を載置する手の平固定部と、該手の平固定部から先端方向に延長され被施術者の人差し指、中指、薬指、小指を載置する指載置部と、該指載置部に固定された前記各指の間隔を維持するための指間隔維持部とより構成し、前記手の平固定部に被施術者の手の平を固定するための第１のバンドと、人差し指から小指の付け根部分を前記基台に固定するための第２のバンドとより構成し、被施術者の親指を前記第２のバンドの上面側に載置すると共に前記第１のバンドで親指を覆って該親指を固定したことを特徴とする。
【００１１】
請求項４の手段は、前記した請求項３において、前記基台に被施術者の手首を載置する手首固定部を前記手の平固定部より延長し、該手首固定部に被施術者の手首を第３のバンドで固定したことを特徴とする。
【００１２】
請求項５の手段は、前記した請求項３または４において、前記基台を不織布、ゴム板で形成し、前記第１〜第３のバンドを基台より延長して構成したことを特徴とする。
【００１３】
請求項６の手段は、前記した請求項１において、前記基台は被施術者の手の平から指先までを載置する大きさに形成され、前記手の平を載置する部分に結合部材が取付けられており、被施術者の手首から指先の爪部を露出する手袋の手の平側に前記基台の前記接合部材と結合可能な結合部材を取付け、また、前記手袋の各指の付け根部分に被施術者の各指の間隔を維持するための指間隔維持部材を取付けたことを特徴とする。
【発明の効果】
【００１４】
被施術者の手の平側を基台に仮固定し、かつ、少なくとも人差し指、中指、薬指、小指の間を一定の間隔で維持するようにしたので、施術者がマニキュアによる施術を行う場合に、指と指との間隔が一定に維持されるので、マニキュア施術が簡単に行え、また、マニキュアを塗布した後の乾燥中に被施術者の他の指が触れることがないので修復する手間が掛からない。
【００１５】
また、被施術者の手の平と各指の間を維持した状態で基台に固定することで、関節抱縮症のような障害等により指が伸ばしにくい人に対しても手の平と指が固定されているので、健常者と同じように施術者に面倒を掛けることなく施術を受けることができる。
【００１６】
さらに、被施術者が手袋を装着して手の平部分を基台に載置すると結合部材によって手袋が固定され、かつ、手袋を装着した状態であることから指の間隔が一定に維持されるので、施術が簡単、かつ、安全に行え、また、気温が低い場所での施術でも手が冷えるのを防止できる。
【００１７】
また、手の平が基台に固定され、かつ、指の間隔を一定状態に維持することで、マニキュア塗布後にマニキュアを早く乾燥するためのＵＶライト装置に指先を挿入する際に、指先が装置内の内壁に接触して修復する可能性が低く、また、指先が不用意に内側に曲がって適切な照射が行われないといった問題も発生しない。
【図面の簡単な説明】
【００１８】
【図１】第１の実施例である指の間隔を維持できない人が使用するのに適したネイル施術用補助具の斜視図である。
【図２】図１の補助具に被施術者の手を装着した斜視図である。
【図３】第２の実施例であるネイル施術用補助具の斜視図である。
【図４】図３の補助具に被施術者の手を装着した斜視図である。
【図５】第３の実施例であるネイル施術用補助具の斜視図である。
【図６】図５の補助具に被施術者の手を装着した斜視図である。
【発明を実施するための形態】
【００１９】
以下、本発明の第１実施例を図１、図２と共に説明する。
１は合成樹脂板やゴム板等で形成した基台にして、被施術者の手首から手の平を載置する手の平固定部１ａと、該手の平固定部から延長され親指、人差し指、中指、薬指、小指を載置する指載置部１ｂとより構成されている。
【００２０】
前記基台１に被施術者の手首と手の平を手の平固定部１ａに載置した状態において第１のバンド１ｃによって手首と手の平に巻付け、該第１のバンド１ｃの両端に取付けられている図示しない面ファスナーやホックボタン等の結合部材を結合することで手首と手の平を固定する。また、前記手の平固定部１ａに手首と手の平を固定した状態において被施術者の指を指載置部１ｂに載置した状態において各指を第２のバンド１ｄによって巻付け、該第２のバンド１ｄの両端に取付けられている図示しない面ファスナーやホックボタン等結合部材を結合することで各指を固定する。
【００２１】
このように手首と手の平および５本の指を基台１に固定することで、被施術者の指は一定の間隔を隔てて固定されるので、マニキュアやネイルケアを施術者が施術する時に作業が行い易く、また、マニキュアを塗布して乾燥中において被施術者が無意識に指を動かそうとしても第２のバンド１ｄによって固定されているので、乾燥中に他の指の接触による修復作業を行うという問題は発生しない。
【００２２】
また、マニキュアの乾燥を早めるためのＵＶ（紫外線）ライト装置に指先を挿入する場合にも指先が固定されていることから、指先が前記装置の内側に接触することがないので修復を行う必要もなく、かつ、指先が不用意に内側に曲がってＵＶライトによる適切な照射が行われず時間がかるといった問題も発生しない。
【００２３】
さらに、第１の実施例は、各指を基台１に第２のバンド１ｄによって固定することから、関節抱縮症のような障害等により指が伸ばしにくい人であっても、健常者と同じように施術者に面倒を掛けることなく施術を受けることができる。
【００２４】
なお、前記した第１の実施例において基台１として、合成樹脂板を利用した場合には、第１、第２のバンド１ｃ、１ｄを別部材としなければならないが、基台１を肉厚のゴム板とし、第１、第２のバンド１ｃ、１ｄをゴム板から厚みの薄いゴム板を延長して形成することで基台１とバンド１ｃ，１ｄを一体物として形成することも可能である。また、合成樹脂やゴムを例に説明したがＵＶライト装置に指先を入れてマニキュアの乾燥を早める作業を頻繁に行う場合には、基台１の材質として紫外線に強い材質や表面処理を施すことで耐候性を上げることが望ましい。
【００２５】
次に、第２の実施例を図３、図４と共に説明する。
本実施例における基台２は肉厚の不織布で形成したものであり、基台２の形状は、被施術者の手の平を載置する手の平固定部２ａと、手首を載置する前記手の平固定部２ａより延長された手首固定部２ｂと、前記手の平固定部２ａから先端方向に延長され被施術者の人差し指、中指、薬指、小指を載置する指載置部２ｃと、該指載置部２ｃに固定された前記各指の間隔を維持するための指間隔維持部２ｄとより形成されている。
【００２６】
また、前記手の平固定部２ａに被施術者の手の平を固定するための第１のバンド２ｅと、人差し指から小指の付け根部分を前記基台２に固定するための第２のバンド２ｆおよび被施術者の手首を基台２固定するための第３のバンド２ｇが前記基台２と一体的に形成されている。
【００２７】
被施術者の手の平を前記手の平固定部２ａに、手首を前記手首固定部２ｂに載置し、かつ、指を指載置部２ｃに延ばして小指から人差し指の間を指間隔維持部２ｄを挟むように載置する。この状態において、第１のバンド２ｅによって小指から人差し指の付け根を覆った状態で固定する。この時に、親指は第１のバンド２ｅの上面側に位置させる。次いで、第２のバンド２ｆの一部が前記第１のバンド２ｅに重なるように、かつ、親指の上面側を覆うようにして巻付けて固定する。
【００２８】
さらに、被施術者の手首を第３のバンド２ｇで巻き付けて固定することで、前記手首は基台２と一体化される。なお、第１〜第３のバンド２ｅ，２ｆ，２ｇの両端部分には図示しない面ファスナーやホックボタン等の結合部材が取付けられており、該結合部材を結合することで各指と手首は固定される。
【００２９】
このように、人差し指から小指が一定の間隔を維持した状態で固定され、また、親指も固定されることから、前記した第１の実施例と同様に関節抱縮症のような障害等により指が伸ばしにくい人であっても、健常者と同じように施術者に面倒を掛けることなく施術を受けることができる。また、第２の実施例にあっては、被施術者の手首を手首固定部２ｂに第３のバンド２ｇで固定することから、手首から指先までが基台２に固定され、より安定状態で施術を受けることができる。
【００３０】
前記した第２の実施例では、基台２と第１〜第３のバンド１ｅ，２ｆ，２ｇとを一体物で構成したが、第１の実施例と同様に基台２と第１〜第３のバンド１ｅ，２ｆ，２ｇとを別部材で構成してもよい。
【００３１】
次に、第３の実施例について図５、図６と共に説明する。
本実施例における基台３は合成樹脂板、ゴム板、不織布で形成され、被施術者の手の平から指先までを載置する大きさに形成されている。前記基台３における被施術者の手の平が載置される位置に面ファスナーやホックボタン等の結合部材３ａが取付けられている。
【００３２】
４は被施術者の施術を行う手に装着する手袋にして、被施術者の指先の爪部が露出するように先端がカットされている。手袋の手の平側には前記基台３の結合部材３ａと貼着可能な結合部材４ａが取付けられている。また、前記手袋４の各指の付け根部分には指間隔維持部材４ｂが取付けられている。この指間隔維持部材４ｂが各指付け根部分に取付けられていることで、被施術者が手袋４を装着すると小指から親指な間隔が一定の間隔になるように維持される。
【００３３】
被施術者が手袋４を装着した状態で基台３に載置し、基台３の結合部材３ａと手袋４の結合部材４ａを結合する。この基台３と手袋４とが一体化すると、指間隔維持部材４ｂによって指の間隔が固定された指先が基台３の先端近くに配置された状態となる。
【００３４】
このように、小指から親指までの各指の間隔が維持された状態で基台３上に配置されるので、施術者による施術が楽に行え、また、マニキュアを塗布した後の乾燥中に被施術者の他の指が触れることがないので修復する手間がなく、さらに、気温が低い場所での施術でも手が冷えるのを防止できる。
【符号の説明】
【００３５】
１          基台
１ａ        手の平固定部
１ｂ        指載置部
１ｃ        第１のバンド
１ｄ        第２のバンド
２          基台
２ａ        手の平固定部
２ｂ        手首固定部
２ｃ        指載置部
２ｄ        指間隔維持部
２ｅ        第１のバンド
２ｆ        第２のバンド
２ｇ        第３のバンド
３          基台
３ａ        結合部材
４          手袋
４ａ        結合部材
４ｂ        指間隔維持部材
【図１】
2014147442.tif 000003
【図２】
2014147442.tif 000004
【図３】
2014147442.tif 000005
【図４】
2014147442.tif 000006
【図５】
2014147442.tif 000007
【図６】
2014147442.tif 000008